(57)【要約】【課題】クレジットカードの不正使用を防止する。【解決手段】磁性体層（７）を有するサインパネル（９）と、  カード会員番号を記憶する手段と、  前記磁性体層（７）に磁化されている箇所と磁化されていない箇所とで記録されているパターンを読み取って、１０進法の数字列に変換する手段と、  前記１０進法の数字列を、前記カード会員番号とともに、決済端末に送信する手段と、  前記決済端末からパターン消去命令を受信すると、前記パターンを消去する手段とを備えることを特徴とするクレジットカード（１）。【選択図】図１
2016207126.tif 000002
【特許請求の範囲】
【請求項１】
磁性体層を有するサインパネルと、
カード会員番号を記憶する手段と、
前記磁性体層に磁化されている箇所と磁化されていない箇所とで記録されているパターンを読み取って、１０進法の数字列に変換する手段と、
前記１０進法の数字列を、前記カード会員番号とともに、決済端末に送信する手段と、
前記決済端末からパターン消去命令を受信すると、前記パターンを消去する手段とを備えることを特徴とするクレジットカード。
【請求項２】
請求項１記載のクレジットカードを用いるカード決済方法であって、
磁気ペンで前記サインパネルに描かれたパターンが前記磁性体層に磁化されている箇所と磁化されていない箇所とで記録されている前記クレジットカードから、前記決済端末で、前記１０進法の数字列を、前記カード会員番号とともに受信し、
前記決済端末で、前記１０進法の数字列と、カード会員情報管理サーバから送信してもらった前記カード会員番号で識別されるカード会員の暗証番号とを照合する本人認証を行い、本人認証に成功した場合のみ、決済を行い、本人認証後、或いは、本人認証に成功した場合は決済後、パターン消去命令を前記クレジットカードに送信することを特徴とするカード決済方法。
【請求項３】
磁性体層を有するサインパネルと、
カード会員番号と前記カード会員番号で識別されるカード会員の暗証番号とを記憶する手段と、
前記磁性体層に磁化されている箇所と磁化されていない箇所とで記録されているパターンを読み取って、１０進法の数字列に変換する手段と、
前記１０進法の数字列を、前記カード会員番号及び前記暗証番号とともに、決済端末に送信する手段と、
前記決済端末からパターン消去命令を受信すると、前記パターンを消去する手段とを備えることを特徴とするクレジットカード。
【請求項４】
請求項３記載のクレジットカードを用いるカード決済方法であって、
磁気ペンで前記サインパネルに描かれたパターンが前記磁性体層に磁化されている箇所と磁化されていない箇所とで記録されている前記クレジットカードから、前記決済端末で、前記１０進法の数字列を、前記カード会員番号及び前記暗証番号とともに受信し、
前記決済端末で、前記１０進法の数字列と、前記暗証番号とを照合する本人認証を行い、本人認証に成功した場合のみ、決済を行い、本人認証後、或いは、本人認証に成功した場合は決済後、パターン消去命令を前記クレジットカードに送信することを特徴とするカード決済方法。
【発明の詳細な説明】
【技術分野】
【０００１】
本発明は、クレジットカード及びカード決済方法に関する。
【背景技術】
【０００２】
一般に、店頭において、クレジットカードが提示され、このクレジットカードで決済することが要求されると、このクレジットカードを提示した人が、このクレジットカードを貸与されたカード会員であるかを確認する本人認証を行い、このクレジットカードを提示した人が、このクレジットカードを貸与されたカード会員であることが確認できた場合のみ、このクレジットカードで決済を行う。
【０００３】
一般に、本人認証は、クレジットカード裏面のサインパネル（署名欄）に記入されているサイン（署名）と、利用伝票に記入されたサイン（署名）とを照合することで行われる。
【０００４】
また、従来から、本人認証を、予め登録された署名データと、利用伝票に記入されたサイン（署名）とを照合することで行うことも提案されている（例えば特許文献１参照）。
【０００５】
また、一般に、クレジットカードがＩＣチップ搭載しているＩＣカードである場合は、サイン（署名）に代えて、本人認証は、店頭においてクレジットカードで決済するのに用いられる決済端末に入力された暗証番号と、そのＩＣチップのメモリに記憶されている暗証番号とを照合することで行われる。
【０００６】
しかしながら、サイン（署名）は、偽造されて、暗証番号は、決済端末入力時、第三者に流出して、クレジットカードが不正使用される恐れがある。
【０００７】
クレジットカードの利用停止及び再発行サービスは、カード会員がクレジットカードの紛失或いは不正使用に気付いて利用停止手続きを行うことによって初めて利用が停止されるものであり、一旦クレジットカードを利用停止すると再発行に時間と手間が掛かり、その間、カード会員はクレジットカードを利用できなくなり、クレジットカード自身も変わってしまうという問題がある。
【０００８】
さらに、多数のクレジットカードを所持しているが、日常的には、それらの内、一部しか利用していない場合、利用してないクレジットカードの紛失或いは不正使用に気付き難いという問題がある。
【先行技術文献】
【特許文献】
【０００９】
【特許文献１】特開２００３−１０８９０１号公報
【発明の概要】
【発明が解決しようとする課題】
【００１０】
本発明は、このような事情を考慮してなされたもので、クレジットカードの不正使用を防止することを課題とする。
【課題を解決するための手段】
【００１１】
本発明において上記課題を解決するために、まず請求項１の発明では、
磁性体層を有するサインパネルと、
カード会員番号を記憶する手段と、
前記磁性体層に磁化されている箇所と磁化されていない箇所とで記録されているパターンを読み取って、１０進法の数字列に変換する手段と、
前記１０進法の数字列を、前記カード会員番号とともに、決済端末に送信する手段と、
前記決済端末からパターン消去命令を受信すると、前記パターンを消去する手段とを備えることを特徴とするクレジットカードとしたものである。
【００１２】
また請求項２の発明では、
請求項１記載のクレジットカードを用いるカード決済方法であって、
磁気ペンで前記サインパネルに描かれたパターンが前記磁性体層に磁化されている箇所と磁化されていない箇所とで記録されている前記クレジットカードから、前記決済端末で、前記１０進法の数字列を、前記カード会員番号とともに受信し、
前記決済端末で、前記１０進法の数字列と、カード会員情報管理サーバから送信してもらった前記カード会員番号で識別されるカード会員の暗証番号とを照合する本人認証を行い、本人認証に成功した場合のみ、決済を行い、本人認証後、或いは、本人認証に成功した場合は決済後、パターン消去命令を前記クレジットカードに送信することを特徴とするカード決済方法としたものである。
【００１３】
また請求項３の発明では、
磁性体層を有するサインパネルと、
カード会員番号と前記カード会員番号で識別されるカード会員の暗証番号とを記憶する手段と、
前記磁性体層に磁化されている箇所と磁化されていない箇所とで記録されているパターンを読み取って、１０進法の数字列に変換する手段と、
前記１０進法の数字列を、前記カード会員番号及び前記暗証番号とともに、決済端末に送信する手段と、
前記決済端末からパターン消去命令を受信すると、前記パターンを消去する手段とを備えることを特徴とするクレジットカードとしたものである。
【００１４】
また請求項４の発明では、
請求項３記載のクレジットカードを用いるカード決済方法であって、
磁気ペンで前記サインパネルに描かれたパターンが前記磁性体層に磁化されている箇所と磁化されていない箇所とで記録されている前記クレジットカードから、前記決済端末で、前記１０進法の数字列を、前記カード会員番号及び前記暗証番号とともに受信し、
前記決済端末で、前記１０進法の数字列と、前記暗証番号とを照合する本人認証を行い、本人認証に成功した場合のみ、決済を行い、本人認証後、或いは、本人認証に成功した場合は決済後、パターン消去命令を前記クレジットカードに送信することを特徴とするカード決済方法としたものである。
【発明の効果】
【００１５】
本発明は、磁気ペンでサインパネルに、カード会員の暗証番号を、１０進法の数字列のパターンで描けば、このパターンがサインパネルの磁性体層に磁化されている箇所と磁化されていない箇所とで記録できて、本人認証を行うことができ、本人認証後、或いは、本人認証に成功した場合は決済後、このパターンを消去できるという効果がある。
このように、本発明では、磁性体層に磁化されている箇所と磁化されていない箇所とで記録されているパターンは、目に見えず、しかも、本人認証後、或いは、本人認証に成功した場合は決済後、このパターンを消去できるのであるから、カード会員の暗証番号が第三者に流出することがなく、カード決済が行えるという効果がある。
従って、本発明は、クレジットカードの不正使用を防止できるという効果がある。
【００１６】
また、請求項１及び２に係る発明は、クレジットカードに暗証番号を記憶しなくても本人認証が行えるので、クレジットカードから暗証番号を盗み取られることがないという効果がある。
【００１７】
また、請求項３及び４に係る発明は、クレジットカードに暗証番号が記憶されてるので、決済端末がネットワークを介してカード会員情報管理サーバに接続できなくても本人認証ができるという効果がある。
【図面の簡単な説明】
【００１８】
【図１】本発明のクレジットカードのサインパネルを説明する図であって、（ａ）は本発明のクレジットカードの裏面の平面図、（ｂ）は（ａ）の平面図でＸ−Ｘ線に沿った断面の断面図。
【図２】本発明のクレジットカード本体の一構成例を示す構成図。
【図３】本発明のクレジットカードを用いるカード決済方法に係るものを示す図。
【図４】カード会員情報テーブルの一例を示す図。
【図５】磁性体層に磁化された箇所と磁化されていない箇所とで記録したパターンの一例を示す図。
【図６】本発明の第１の実施形態のクレジットカードを用いるカード決済方法の流れの一例を示すフローチャート。
【図７】本発明の第２の実施形態のクレジットカードを用いるカード決済方法の流れの一例を示すフローチャート。
【発明を実施するための形態】
【００１９】
以下に、本発明の第１の実施形態を説明する。
【００２０】
本発明のクレジットカードを用いるカード決済方法には、図３に示すように、本発明のクレジットカード１と、磁気ペン３０と、決済端末４０と、イシュアサーバ６０とが係り、イシュアサーバ６０は、カード会員情報データベース６１と、カード会員情報管理サーバ６２とを備え、カード会員情報管理サーバ６２は、ネットワーク５０を介して、決済端末４０に接続されるものである。
【００２１】
以後、カード会員と云えば、本発明のクレジットカード１を貸与されたカード会員のことを云い、カード会員情報とは、本発明のクレジットカード１を貸与されたカード会員の情報のことを云うことにする。
【００２２】
磁気ペン３０は、ペン先に磁石３１を備える磁気保有型のペンである。
【００２３】
本発明のクレジットカード１の裏面を図１（ａ）の平面図に示し、図１（ａ）の平面図でＸ−Ｘ線に沿った本発明のクレジットカード１の断面を図１（ｂ）の断面図に示す。
【００２４】
本発明のクレジットカード１は、図１（ａ）に示すように、クレジットカード本体２と、クレジットカード本体２の裏面に、サインパネル９とを備える。
【００２５】
サインパネル９は、図１（ｂ）に示すように、クレジットカード本体２の裏面に、磁性体層７が形成されたサインパネル基材４を、磁性体層７形成面を向き合わせて接着剤層５を介して積層したものである。
【００２６】
サインパネル９の表面は、カード会員のサイン（署名）がなされる署名欄として使用される。それゆえ、サインパネル基材４は万年筆、ボールペン、サインペンなどのインキを吸着固定しやすく、クレジットカード本体２に接着しやすく、さらに、その偽造や改竄が判明しやすい材料が好ましく、例えば紙基材があり、この紙基材は上質紙（王子製紙社製
四六判４５Ｋｇ）を用いることができる。
【００２７】
磁性体層７は、高分子結合剤を含む溶媒中に磁性材料を分散させた磁性インキをサインパネル基材４の片面に塗布したものであり、この磁性材料は、Ｆｅ、Ｎｉ、Ｍｎ、Ｚｎ、Ｃｏ、パーマロイ、センダスト、Ｍｎ−Ｚｎフェライト、Ｎｉ−Ｚｎフェライト、Ｍｎフェライト、Ｚｎフェライト、ＦｅＳ、マグネタイト、γ−酸化鉄、Ｃｏ被着γ−酸化鉄、バリウムフェライト、ストロンチウムフェライト、二酸化クロム等の金属又は合金或いは金属化合物の粉末を使用することができる。
【００２８】
接着剤層５は、サインパネル基材４の磁性体層７形成面に接着剤を塗布して形成した層であり、この接着剤には、熱可塑性樹脂が使用される。
【００２９】
磁気ペン３０を用いて、ペン先の磁石３１を、サインパネル９の表面に接触させて、パターンを描くと、磁性体層７において、ペン先の磁石３１を接触させたサインパネル９の表面の下の磁性体層７の箇所が磁化され、ペン先の磁石３１を接触させなかったサインパネル９の表面の下の磁性体層７の箇所が磁化されないままに残って、磁化された箇所と磁化されないままに残った箇所とによって、磁性体層７に、このパターンが記録される。
【００３０】
このため、カード会員の暗証番号を、１０進法の数字列のパターンで描いて記入すれば、図５に示すように、磁性体層７に、磁化されている箇所７１と磁化されていない箇所７０とで、この１０進法の数字列のパターンが記録されるので、サインパネル９は、この暗証番号を記入する暗証番号記入欄としても使用できる。図５では、１０進法の数字列のパターンとして、１２３４が記録されている。
【００３１】
クレジットカード本体２は、接触式又は非接触式のＩＣチップ（図示せず）を搭載した樹脂製のＩＣカードである。
【００３２】
クレジットカード本体２の構成を、図２に示す。
【００３３】
図２に示すように、クレジットカード本体２は、パターン読取消去装置２０と、通信装置２１と、記憶装置２２と、中央処理装置２３とを備える。
【００３４】
パターン読取消去装置２０は、磁性体層７に記録されているパターンを読み取り、また、磁性体層７から、このパターンを消去する装置である。
【００３５】
通信装置２１は、本発明のクレジットカード１が決済端末４０の挿入口に挿入されて決済端末４０と通信可能になった場合に、決済端末４０と通信を行う装置である。例えば、クレジットカード本体２に、接触式のＩＣチップが搭載されている場合は、通信装置２１は、クレジットカード表面に露出した接続端子を備える。また例えば、クレジットカード本体２に、非接触式のＩＣチップが搭載されている場合は、通信装置２１は、アンテナを備える。
【００３６】
記憶装置２２は、クレジットカード本体２に搭載されているＩＣチップのメモリで構成され、データ及びプログラムを記憶する装置である。
【００３７】
中央処理装置２３は、クレジットカード本体２に搭載されているＩＣチップのＣＰＵで構成され、記憶装置２２に記憶されているプログラムに従って処理を行う装置である。
【００３８】
記憶装置２２には、少なくとも、カード会員番号が記憶されている。
【００３９】
また、記憶装置２２には、決済端末４０の挿入口に挿入されて決済端末４０と通信可能になった本発明のクレジットカード１に、以下の手段を実現するための処理を、中央処理装置２３に実行させるプログラムが記憶されている。
パターン読取消去装置２０で、サインパネル９の磁性体層７に磁化されている箇所と磁化されていない箇所とで記録されているパターンを読み取って、このパターンを１０進法の数字列に変換する変換手段。
この１０進法の数字列を、記憶装置２２に記憶されているカード会員番号ととともに、通信装置２１で、決済端末４０に送信する送信手段。
決済端末４０からパターン消去命令を受信すると、パターン読取消去装置２０で、サインパネル９の磁性体層７に記録されているパターンを消去する消去手段。
【００４０】
イシュアサーバ６０は、イシュアと呼ばれるクレジットカード発行会社が運営するサーバであって、カード会員情報データベース６１、カード会員情報管理サーバ６２の他に、図示はしていないが、信用照会のためのオーソリサーバ、決済のための決済サーバも備えてもよい。
【００４１】
カード会員情報データベース６１は、カード会員情報を、例えば図４に示すような、カード会員情報テーブルに、保存するデータベースである。カード会員情報データベース６１に保存されるカード会員情報には、図４に示すように、少なくとも、カード会員を唯一に識別するカード会員番号と、このカード会員の暗証番号とがある。
【００４２】
カード会員情報管理サーバ６２は、カード会員情報データベース６１に保存するカード会員情報を管理するサーバである。カード会員情報管理サーバ６２は、決済端末４０から、カード会員番号を受信すると、カード会員情報データベース６１から、このカード会員番号で識別されるカード会員の暗証番号を読み出して、決済端末４０に送信する。
【００４３】
決済端末４０は、店頭において本発明のクレジットカード１で決済するのに用いられる端末であって、挿入口を有し、この挿入口に、本発明のクレジットカード１を挿入すると、本発明のクレジットカード１と通信可能になる。そして、決済端末４０は、本発明のクレジットカード１から、１０進法の数字列を、カード会員番号とともに、受信すると、このカード会員番号を、カード会員情報管理サーバ６２に送信して、カード会員情報管理サーバ６２から、このカード会員番号で識別されるカード会員の暗証番号を送信してもらって、この暗所番号を受信し、本発明のクレジットカード１から受信した１０進法の数字列と、カード会員情報管理サーバ６２から受信した暗証番号とを照合する本人認証を行い、１０進法の数字列と暗証番号とが一致する場合のみ、本人認証に成功したとして、決済を行うとともに、パターン消去命令を本発明のクレジットカード１に送信する。
【００４４】
以下に、本発明のクレジットカードを用いるカード決済方法の流れの一例を、図６のフローチャートに従って説明する。
【００４５】
Ｓ（ＳＴＥＰ）１；
店員は、本発明のクレジットカード１を提示して、本発明のクレジットカード１で決済を希望する人に、本発明のクレジットカード１のサインパネル６の表面に、磁気ペン３０のペン先を接触させて、暗証番号を、１０進法の数字列のパターンで描いて記入してもらう。
【００４６】
Ｓ（ＳＴＥＰ）２；
本発明のクレジットカード１は、このパターンを、サインパネル６の磁性体層７に記録する。
【００４７】
Ｓ（ＳＴＥＰ）３；
店員は、提示された本発明のクレジットカード１を受け取って、決済端末４０の挿入口に挿入する。
【００４８】
Ｓ（ＳＴＥＰ）４；
本発明のクレジットカード１は、パターン読取消去装置２０で、サインパネル９の磁性体層７に記録されているパターンを読み取って、このパターンを１０進法の数字列に変換する。
【００４９】
Ｓ（ＳＴＥＰ）５；
本発明のクレジットカード１は、この１０進法の数字列を、記憶装置２２に記憶されているカード会員番号ととともに、通信装置２１で、決済端末４０に送信する。
【００５０】
Ｓ（ＳＴＥＰ）６；
決済端末４０は、本発明のクレジットカード１から、１０進法の数字列を、カード会員番号とともに、受信する。
【００５１】
Ｓ（ＳＴＥＰ）７；
決済端末４０は、本発明のクレジットカード１から受信したカード会員番号を、カード会員情報管理サーバ６２に送信して、カード会員情報管理サーバ６２から、このカード会員番号で識別されるカード会員の暗証番号を送信してもらって受信する。
【００５２】
Ｓ（ＳＴＥＰ）８；
決済端末４０は、本発明のクレジットカード１から受信した１０進法の数字列と、会員情報管理サーバ６２から受信した暗証番号とを照合する本人認証を行う。
【００５３】
Ｓ（ＳＴＥＰ）９；
照合の結果、双方が不一致の場合、本人認証に失敗したとして、ＳＴＥＰ１０に進み、
照合の結果、双方が一致した場合、本人認証に成功したとして、ＳＴＥＰ１１に進む。
【００５４】
Ｓ（ＳＴＥＰ）１０；
店員は、決済端末４０から、本発明のクレジットカード１を取り出して、本発明のクレジットカード１を提示した人に、本人認証に失敗したので決済ができないことを告げて、返却する。
【００５５】
Ｓ（ＳＴＥＰ）１１；
決済端末４０は、パターン消去命令を本発明のクレジットカード１に送信する。
【００５６】
Ｓ（ＳＴＥＰ）１２；
本発明のクレジットカード１は、通信装置２１で、決済端末４０から、パターン消去命令を受信する。
【００５７】
Ｓ（ＳＴＥＰ）１３；
本発明のクレジットカード１は、パターン読取消去装置２０で、サインパネル９の磁性体層７に記録されているパターンを消去する。
【００５８】
Ｓ（ＳＴＥＰ）１４；
決済端末４０は、決済を行う。
【００５９】
Ｓ（ＳＴＥＰ）１５；
店員は、決済端末４０から、本発明のクレジットカード１を取り出して、本発明のクレジットカード１を提示した人に、本人認証に成功して決済が完了したことを告げて、返却する。
【００６０】
以上のカード決済の流れでは、決済端末４０は、本人認証を行った直後に、パターン消去命令を本発明のクレジットカード１に送信しているが、本人認証に成功した場合は、決済後に、パターン消去命令を本発明のクレジットカード１に送信して、本発明のクレジットカード１に、パターン読取消去装置２０で、サインパネル９の磁性体層７に記録されているパターンを消去させてもよい。
【００６１】
以下に、本発明の第２の実施形態を、第１の実施形態との違いを主に述べることで、説明する。
【００６２】
本発明の第２の実施形態では、記憶装置２２には、少なくとも、カード会員番号と、このカード会員番号で識別されるカード会員の暗証番号とが記憶されている。
【００６３】
また、本発明の第２の実施形態では、記憶装置２２には、決済端末４０の挿入口に挿入されて決済端末４０と通信可能になった本発明のクレジットカード１に、以下の手段を実現するための処理を、中央処理装置２３に実行させるプログラムが記憶されている。
パターン読取消去装置２０で、サインパネル９の磁性体層７に磁化されている箇所と時磁化されていない箇所とで記録されているパターンを読み取って、このパターンを１０進法の数字列に変換する変換手段。
この１０進法の数字列を、記憶装置２２に記憶されているカード会員番号及び暗証番号ととともに、通信装置２１で、決済端末４０に送信する送信手段。
決済端末４０からパターン消去命令を受信すると、パターン読取消去装置２０で、サインパネル９の磁性体層７に記録されているパターンを消去する消去手段。
【００６４】
また、本発明の第２の実施形態では、決済端末４０は、本発明のクレジットカード１から、１０進法の数字列を、カード会員番号及び暗証番号とともに、受信すると、これらの１０進法の数字列と暗証番号とを照合する本人認証を行い、双方が一致する場合のみ、本人認証に成功したとして、決済を行うとともに、パターン消去命令を本発明のクレジットカード１に送信する。
【００６５】
以下に、本発明の第２の実施形態のクレジットカードを用いるカード決済方法の流れの一例を、図７のフローチャートに従って説明する。
【００６６】
Ｓ（ＳＴＥＰ）１；
店員は、本発明のクレジットカード１を提示して、本発明のクレジットカード１で決済を希望する人に、本発明のクレジットカード１のサインパネル６の表面に、磁気ペン３０のペン先を接触させて、暗証番号を、１０進法の数字列のパターンで描いて記入してもらう。
【００６７】
Ｓ（ＳＴＥＰ）２；
本発明のクレジットカード１は、このパターンを、サインパネル６の磁性体層７に記録する。
【００６８】
Ｓ（ＳＴＥＰ）３；
店員は、提示された本発明のクレジットカード１を受け取って、決済端末４０の挿入口に挿入する。
【００６９】
Ｓ（ＳＴＥＰ）４；
本発明のクレジットカード１は、パターン読取消去装置２０で、サインパネル９の磁性体層７に記録されているパターンを読み取って、このパターンを１０進法の数字列に変換する。
【００７０】
Ｓ（ＳＴＥＰ）５；
本発明のクレジットカード１は、この１０進法の数字列を、記憶装置２２に記憶されているカード会員番号及び暗証番号ととともに、通信装置２１で、決済端末４０に送信する。
【００７１】
Ｓ（ＳＴＥＰ）６；
決済端末４０は、本発明のクレジットカード１から、１０進法の数字列を、カード会員番号及び暗証番号とともに、受信する。
【００７２】
Ｓ（ＳＴＥＰ）７；
決済端末４０は、本発明のクレジットカード１から受信した１０進法の数字列と、同じく本発明のクレジットカード１から受信した暗証番号とを照合する本人認証を行う。
【００７３】
Ｓ（ＳＴＥＰ）８；
照合の結果、双方が不一致の場合、本人認証に失敗したとして、ＳＴＥＰ９に進み、
照合の結果、双方が一致した場合、本人認証に成功したとして、ＳＴＥＰ１０に進む。
【００７４】
Ｓ（ＳＴＥＰ）９；
店員は、決済端末４０から、本発明のクレジットカード１を取り出して、本発明のクレジットカード１を提示した人に、本人認証に失敗したので決済ができないことを告げて、返却する。
【００７５】
Ｓ（ＳＴＥＰ）１０；
決済端末４０は、パターン消去命令を本発明のクレジットカード１に送信する。
【００７６】
Ｓ（ＳＴＥＰ）１１；
本発明のクレジットカード１は、通信装置２１で、決済端末４０から、パターン消去命令を受信する。
【００７７】
Ｓ（ＳＴＥＰ）１２；
本発明のクレジットカード１は、パターン読取消去装置２０で、サインパネル９の磁性体層７に記録されているパターンを消去する。
【００７８】
Ｓ（ＳＴＥＰ）１３；
決済端末４０は、決済を行う。
【００７９】
Ｓ（ＳＴＥＰ）１４；
店員は、決済端末４０から、本発明のクレジットカード１を取り出して、本発明のクレジットカード１を提示した人に、本人認証に成功して決済が完了したことを告げて、返却する。
【００８０】
以上の第２の実施形態のカード決済の流れでも、決済端末４０は、本人認証を行った直後に、パターン消去命令を本発明のクレジットカード１に送信しているが、本人認証に成功した場合は、決済後に、パターン消去命令を本発明のクレジットカード１に送信して、本発明のクレジットカード１に、パターン読取消去装置２０で、サインパネル９の磁性体層７に記録されているパターンを消去させてもよい。
【符号の説明】
【００８１】
１…クレジットカード
２…クレジットカード本体
４…サインパネル基材
５…接着剤層
７…磁性体層
９…サインパネル
２０…パターン読取消去装置
２１…通信装置
２２…記憶装置
２３…中央処理装置
３０…磁気ペン
３１…磁石
４０…決済端末
５０…ネットワーク
６０…イシュアサーバ
６１…カード会員情報データベース
６２…カード会員情報管理サーバ
７０…磁化されていない箇所
７１…磁化されている箇所
【図１】
2016207126.tif 000003
【図２】
2016207126.tif 000004
【図３】
2016207126.tif 000005
【図４】
2016207126.tif 000006
【図５】
2016207126.tif 000007
【図６】
2016207126.tif 000008
【図７】
2016207126.tif 000009